(57)【特許請求の範囲】
【請求項１】
動画撮影装置の周囲の環境の特徴を表すための環境情報を取得するステップと、
前記環境情報が所定の条件を満たすか否かを検出するステップと、
前記環境情報が前記所定の条件を満たす場合、動画撮影を開始するステップと
を含み、
前記環境情報には、少なくとも一つの位置情報が含まれており、それぞれの前記位置情報には前記動画撮影装置の周囲のいずれかの物体の、所定の時間帯における前記動画撮影装置に対する位置情報が含まれ、
前記環境情報が所定の条件を満たすか否かを検出するステップは、
前記少なくとも一つの位置情報中変化のある位置情報が存在するか否かを検出するステップと、
前記少なくとも一つの位置情報中変化のある位置情報が存在する場合、前記環境情報が前記所定の条件を満たすと決定するステップと
を含むことを特徴とする動画撮影方法。
【請求項２】
前記環境情報には、光強度がさらに含まれ、
前記少なくとも一つの位置情報中変化のある位置情報が存在する場合、前記環境情報が前記所定の条件を満たすと決定するステップは、
前記少なくとも一つの位置情報中変化のある位置情報が存在する場合、前記光強度が所定の光強度範囲内にあるか否かを検出するステップと、
前記光強度が前記所定の光強度範囲内にある場合、前記環境情報が前記所定の条件を満たすと決定するステップと
を含むことを特徴とする請求項１に記載の動画撮影方法。
【請求項３】
前記所定の条件を満たす環境情報を取得してから所定の時間経過後、動画撮影を完了して、撮影した動画データを取得するステップをさらに含むことを特徴とする請求項１または２に記載の動画撮影方法。
【請求項４】
所定の共有入口を取得するステップと、
前記共有入口を介して前記動画データを前記共有入口に対応する動画共有プラットフォームに転送するステップと
をさらに含むことを特徴とする請求項３に記載の動画撮影方法。
【請求項５】
動画撮影装置の周囲の環境の特徴を表すための環境情報を取得するように構成される取得モジュールと、
前記環境情報が所定の条件を満たすか否かを検出するように構成される検出モジュールと、
前記環境情報が前記所定の条件を満たす場合、動画撮影を開始するように構成される撮影モジュールと
を含み、
前記環境情報には、少なくとも一つの位置情報が含まれており、それぞれの前記位置情報には前記動画撮影装置の周囲のいずれかの物体の、所定の時間帯における前記動画撮影装置に対する位置情報が含まれ、
前記検出モジュールは、
前記少なくとも一つの位置情報中変化のある位置情報が存在するか否かを検出するように構成される位置検出サブモジュールと、
前記少なくとも一つの位置情報中変化のある位置情報が存在する場合、前記環境情報が前記所定の条件を満たすと決定するように構成される変化決定サブモジュールとを含むことを特徴とする動画撮影装置。
【請求項６】
前記環境情報には、光強度がさらに含まれ、
前記変化決定サブモジュールは、
前記少なくとも一つの位置情報中変化のある位置情報が存在する場合、前記光強度が所定の光強度範囲内にあるか否かを検出し、
前記光強度が前記所定の光強度範囲内にある場合、前記環境情報が前記所定の条件を満たすと決定するように構成される
ことを特徴とする請求項５に記載の動画撮影装置。
【請求項７】
前記所定の条件を満たす環境情報を取得してから所定の時間経過後、動画撮影を完了して、撮影した動画データを取得するように構成される完了モジュールをさらに含むことを特徴とする請求項５または６に記載の動画撮影装置。
【請求項８】
所定の共有入口を取得するように構成される入口取得モジュールと、
前記共有入口を介して前記動画データを前記共有入口に対応する動画共有プラットフォームに転送するように構成される転送モジュールと
をさらに含むことを特徴とする請求項７に記載の動画撮影装置。
【請求項９】
動画撮影装置の周囲の環境の特徴を表すための環境情報を取得し、前記環境情報が所定の条件を満たすか否かを検出し、前記環境情報が前記所定の条件を満たす場合、動画撮影を開始するように構成されるプロセッサと、
前記プロセッサで実行可能なインストラクションを格納するためのメモリと
を含み、
前記環境情報には、少なくとも一つの位置情報が含まれており、それぞれの前記位置情報には前記動画撮影装置の周囲のいずれかの物体の、所定の時間帯における前記動画撮影装置に対する位置情報が含まれ、
前記環境情報が所定の条件を満たすか否かを検出することは、
前記少なくとも一つの位置情報中変化のある位置情報が存在するか否かを検出することと、
前記少なくとも一つの位置情報中変化のある位置情報が存在する場合、前記環境情報が前記所定の条件を満たすと決定することと
を含むことを特徴とする動画撮影装置。
【請求項１０】
プロセッサにより実行されることにより、請求項１乃至４のいずれか１項に記載の動画撮影方法を実現することを特徴とするプログラム。
【請求項１１】
請求項１０に記載のプログラムが記憶された記憶媒体。
【発明の詳細な説明】
【技術分野】
【０００１】
本願は、出願番号がＣＮ２０１５１０４６５３０９.２であり、出願日が２０１５年７月３１日である中国特許出願に基づき優先権を主張し、当該中国特許出願のすべての内容を本願に援用する。
【０００２】
本発明は情報技術分野に関し、特に動画撮影方法及び装置、プログラム、及び記憶媒体に関する。
【背景技術】
【０００３】
科学技術の発展に伴い、動画はソーシャルネットワークの中の一つの重要な交流手段になっている。様々な動画撮影方法及び動画撮影装置が次々と現れている。
【０００４】
従来技術として、動画撮影装置がユーザーにより操作され、ユーザーは取ろうとする場面を見つけた時、動画撮影装置の撮影ボタンを押して動画撮影を行い、撮影された動画は自動的に動画撮影装置に記憶される動画撮影方法がある。
【発明の概要】
【発明が解決しようとする課題】
【０００５】
関連する技術的課題を解決するために、本発明は動画撮影方法及びその装置、プログラム、及び記憶媒体を提供する。
【課題を解決するための手段】
【０００６】
本発明の実施例の第１態様によれば、
動画撮影装置の周囲の環境の特徴を表すための環境情報を取得するステップと、
環境情報が所定の条件を満たすか否かを検出するステップと、
環境情報が所定の条件を満たす場合、動画撮影を開始するステップとを含む動画撮影方法が提供される。
【０００７】
環境情報には、音声情報が含まれ、
前記環境情報が所定の条件を満たすか否かを検出するステップは、
前記音声情報の音量が音量閾値より大きいか否かを検出するステップと、
前記音声情報の音量が音量閾値より大きい場合、前記環境情報が前記所定の条件を満たすと決定するステップとを含んでもよい。
【０００８】
音声情報の音量が音量閾値より大きい場合、環境情報が所定の条件を満たすと決定するステップは、
音声情報の音量が音量閾値より大きい場合、音声情報に所定の声紋データが含まれているか否かを検出するステップと、
声紋データに所定の声紋データが含まれている場合、環境情報が所定の条件を満たすと決定するステップとを含んでもよい。
【０００９】
環境情報には、画像情報が含まれ、
環境情報が所定の条件を満たすか否かを検出するステップは、
画像情報に頭部特徴が含まれているか否かを検出するステップと、
画像情報に頭部特徴が含まれている場合、環境情報が所定の条件を満たすと決定するステップとを含んでもよい。
【００１０】
画像情報に頭部特徴が含まれている場合、環境情報が所定の条件を満たすと決定するステップは、
画像情報に頭部特徴が含まれている場合、頭部特徴が所定の頭部特徴であるか否かを検出するステップと、
頭部特徴が所定の頭部特徴である場合、環境情報が所定の条件を満たすと決定するステップとを含んでもよい。
【００１１】
環境情報は、少なくとも一つの位置情報が含まれており、それぞれの位置情報には動画撮影装置の周囲のいずれかの物体の、所定の時間帯における動画撮影装置に対する位置情報が含まれ、
環境情報が所定の条件を満たすか否かを検出するステップは、
少なくとも一つの位置情報中変化のある位置情報が存在するか否かを検出ステップと、
少なくとも一つの位置情報中変化のある位置情報が存在する場合、環境情報が所定の条件を満たすと決定するステップとを含む。
【００１２】
環境情報には、さらに光強度が含まれ、
少なくとも一つの位置情報中変化のある位置情報が存在する場合、環境情報が所定の条件を満たすと決定するステップは、
少なくとも一つの位置情報には変化を発生する位置情報が存在する場合、光強度が所定の光強度範囲内にあるか否かを検出ステップと、
光強度が所定の光強度範囲内にある場合、環境情報が所定の条件を満たすと決定するステップとを含んでもよい。
【００１３】
当該方法は、
所定の条件を満たす環境情報を取得してから所定の時間経過後、動画撮影を完了し、撮影された動画データを取得するステップをさらに含んでもよい。
【００１４】
当該方法は、
所定の共有入口を取得するステップと、
共有入口を介して動画データを共有入口に対応する動画共有プラットフォームに転送するステップとをさらに含んでもよい。
【００１５】
本発明の実施例の第２態様によれば、
動画撮影装置の周囲の環境の特徴を表すための環境情報を取得するように構成される取得モジュールと、
環境情報が所定の条件を満たすか否かを検出するように構成される検出モジュールと、
環境情報が所定の条件を満たす場合、動画撮影を開始するように構成される撮影モジュールとを含む動画撮影装置が提供される。
【００１６】
環境情報には、音声情報が含まれ、
検出モジュールは、
音声情報の音量が音量閾値より大きいか否かを検出するように構成される音量検出サブモジュールと、
音声情報の音量が音量閾値より大きい場合、環境情報が所定の条件を満たすと決定するように構成される閾値決定サブモジュールとを含んでもよい。
【００１７】
閾値決定サブモジュールは、音声情報の音量が音量閾値より大きい場合、音声情報に所定の声紋データが含まれているか否かを検出し、
声紋データに所定の声紋データが含まれている場合、環境情報が所定の条件を満たすと決定するように構成されてもよい。
【００１８】
環境情報には、画像情報が含まれ、
検出モジュールは、
画像情報に頭部特徴が含まれているか否かを検出するように構成される画像検出サブモジュールと、
画像情報に頭部特徴が含まれている場合、環境情報が所定の条件を満たすと決定するように構成される特徴決定サブモジュールとを含んでもよい。
【００１９】
特徴決定サブモジュールは、画像情報に頭部特徴が含まれている場合、頭部特徴が所定の頭部特徴であるか否かを検出し、
頭部特徴が所定の頭部特徴である場合、環境情報が所定の条件を満たすと決定するように構成されてもよい。
【００２０】
環境情報には少なくとも一つの位置情報が含まれ、それぞれの位置情報には動画撮影装置の周囲のいずれかの物体の、所定の時間帯における前記動画撮影装置に対する位置情報が含まれ、
検出モジュールは、
少なくとも一つの位置情報中変化のある位置情報が存在する否かを検出するように構成される位置検出サブモジュールと、
少なくとも一つの位置情報には変化を発生する位置情報が存在する場合、環境情報が所定の条件を満たすと決定するように構成される変化決定サブモジュールとを含んでもよい。
【００２１】
環境情報には、光強度がさらに含まれ、
変化決定サブモジュールは、少なくとも一つの位置情報中変化のある位置情報が存在する場合、光強度が所定の光強度範囲内にあるか否かを検出し、
光強度が所定の光強度範囲内にある場合、環境情報が所定の条件を満たすと決定するように構成されてもよい。
【００２２】
当該装置は、
所定の条件を満たす環境情報を取得してから所定の時間経過後、動画撮影を完了して、撮影した動画データを取得するように構成される完了モジュールをさらに含んでもよい。
【００２３】
当該装置は、
所定の共有入口を取得するように構成される入口取得モジュールと、
共有入口を介して動画データを共有入口に対応する動画共有プラットフォームに転送するように構成される転送モジュールとをさらに含んでもよい。
【００２４】
本発明の実施例の第３態様によれば、
動画撮影装置の周囲の環境の特徴を表すための環境情報を取得し、環境情報が所定の条件を満たすか否かを検出し、環境情報が所定の条件を満たす場合、動画撮影を開始するように構成されるメモリと
プロセッサで実行可能なインストラクションを格納するためのメモリとを含む動画撮影装置が提供される。
【００２５】
本発明の実施例の第４態様によれば、
プロセッサにより実行されることにより、本発明の第１態様による動画撮影方法を実現するプログラムを提供する。
【００２６】
本発明の実施例の第５態様によれば、
本発明の第４の態様によるプログラムが記憶される記憶媒体を提供する。
【発明の効果】
【００２７】
本発明の実施例により提供される技術案によれば、以下のような有益な効果が得られる。
【００２８】
動画撮影装置の周囲の環境情報が所定の条件を満たすか否かを検出し、且つ環境情報が所定の条件を満たす場合、動画撮影を開始することによって、従来技術における動画撮影の過程が複雑である問題を解決するとともに、動画撮影の過程を簡単且つ便利にする効果を奏する。
【００２９】
以上の一般的な説明と以下のような細部的な説明は、例示的なものであって、本発明に対する限定として理解してはいけない。
【図面の簡単な説明】
【００３０】
以下の図面は、明細書に組み込まれて本願明細書の一部分となり、本発明に合致する実施例を示し、且つ明細書とともに本発明の原理を説明するために用いられる。
【図１】一つの例示的な実施例により示される動画撮影方法のフローチャートである。
【図２−１】もう一つの例示的な実施例により示される動画撮影方法のフローチャートである。
【図２−２】図２−１により示される実施例において環境情報を検出するフローチャートである。
【図３−１】もう一つの例示的な実施例により示される動画撮影方法のフローチャートである。
【図３−２】図３−１により示される実施例において環境情報を検出するフローチャートである。
【図４−１】もう一つの例示的な実施例により示される動画撮影方法のフローチャートである。
【図４−２】図４−１により示される実施例において環境情報を検出するフローチャートである。
【図５−１】一つの例示的な実施例により示される動画撮影装置のブロック図である。
【図５−２】図５−１により示される実施例における一つの検出モジュールのブロック図である。
【図５−３】図５−１により示される実施例のおけるもう一つの検出モジュールのブロック図である。
【図５−４】図５−１により示される実施例におけるもう一つの検出モジュールのブロック図である。
【図５−５】もう一つの例示的な実施例により示される動画撮影装置のブロック図である。
【図５−６】もう一つの例示的な実施例により示される動画撮影装置のブロック図である。
【図６】一つの例示的な実施例により示される動画撮影装置のブロック図である。
【００３１】
以上の図面は、本発明の明確な実施例を示しており、以下においてより具体的な説明を行う。これらの図面及び文字的な記述は、本発明の趣旨の範囲を如何なる方式により限定するためのものではなく、特定の実施例を参照することにより、当業者に本発明のコンセプトを説明するためのものである。
【発明を実施するための形態】
【００３２】
以下、例示的な実施例について詳細に説明し、その例示的な実施例を図面に示すことにする。以下の図面に関する説明において、別途の説明がない限り、異なる図面中の同一の符号は、同一又は類似する要素を示すこととする。以下の例示的実施例において説明する実施形態は、本発明に合致する全ての実施形態を代表するわけではない。逆に、それらは、添付の特許請求の範囲に記載される本発明の一部の態様を示す装置及び方法の例に過ぎない。
【００３３】
本発明の各々の実施例に係る動画撮影装置は、撮影機能及び環境情報（音声、画像、光強度、位置の中の少なくとも一つを含んでもよい）取得機能を持つ電子機器、例えばスマートフォン、カメラ、ビデオカメラ及びウェブカメラ等であってもよい。
【００３４】
図１は、一つの例示的な実施例により示される動画撮影方法のフローチャートであり、当該動画撮影方法は動画撮影装置に用いられることができる。当該動画撮影方法は、以下の数個のステップを含んでもよい。
【００３５】
ステップ１０１において、動画撮影装置の周囲の環境の特徴を表すための環境情報を取得する。
【００３６】
ステップ１０２において、環境情報が所定の条件を満たすか否かを検出する。
【００３７】
ステップ１０３において、環境情報が所定の条件を満たす場合、動画撮影を開始する。
【００３８】
要するに、本発明の実施例により提供される動画撮影方法によれば、動画撮影装置の周囲の環境情報が所定の条件を満たすか否かを検出し、且つ環境情報が所定の条件を満たす場合、動画撮影を開始することによって、従来技術における動画撮影の過程が複雑である問題を解決するとともに、動画撮影の過程が簡単且つ便利になる効果を奏する。
【００３９】
図２−１は、一つの例示的な実施例により示される動画撮影方法のフローチャートであり、当該動画撮影方法は動画撮影装置に用いられることができる。当該動画撮影方法は、以下の数個のステップを含んでもよい。
【００４０】
ステップ２０１において、動画撮影装置の周囲の環境情報を取得し、環境情報には音声情報が含まれる。
【００４１】
本発明の実施例により提供される動画撮影方法を応用する場合、動画撮影装置は監視の状態にあってもよく、監視の状態では、動画撮影の機器は動画データを取得できるが、動画データを記憶しない。これと同時に、動画撮影装置は動画撮影装置の周囲の環境情報を取得でき、環境情報には音声情報が含まれてもよい。例示的に、動画撮影装置にマイクロホンを設置してもよい。当該マイクロホンはリアルタイムで動画撮影装置の周囲の音声情報を取得できる。
【００４２】
ステップ２０２において、音声情報の音量は音量閾値より大きいか否かを検出する。
【００４３】
動画撮影装置は、周囲の音声情報を取得した後、当該音声情報の音量が音量閾値より大きいか否かを検出できる。ここで、音量はボリュームとも称する。動画撮影装置は音声振幅の大きさによって音量の大きさを決定し、且つ音量が音量閾値より大きいか否かを決定することができる。
【００４４】
ステップ２０３において、音声情報の音量が音量閾値より大きい場合、環境情報が所定の条件を満たすと決定する。
【００４５】
動画撮影装置は、環境情報に含まれた音声情報の音量が音量閾値より大きいと検出した場合、当該環境情報が所定の条件を満たすと決定できる。
【００４６】
なお、本ステップは以下の２つのサブステップをさらに含んでもよい。
【００４７】
サブステップ２０３１において、音声情報の音量が音量閾値より大きい場合、音声情報に所定の声紋データが含まれているか否かを検出する。
【００４８】
動画撮影装置は、環境情報に含まれた音声情報の音量が音量閾値より大きいことを検出した場合、さらに音声情報に所定の声紋データが含まれているか否かを検出できる。ここで、声紋データは、電気音響計器により表示された、言語情報持ちの音響スペクトルデータであり、当該データは音声情報を誰が発信したかを確定することに用いることができる。
【００４９】
サブステップ２０３２において、声紋データに所定の声紋データがまれている場合、環境情報が所定の条件を満たすと決定する。
【００５０】
動画撮影装置は、声紋データに所定の声紋データが含まれていると検出した場合、環境情報が所定の条件を満たすと決定できる。ここで、所定の声紋データはユーザーの予め設定したものであってもよい。例示的に、ユーザーは、予め家族の声紋データを所定の声紋データとして設定することができ、これによってユーザーの家族が動画撮影装置の周囲で音量閾値より大きな声で話す時、動画撮影装置は所定の条件を満たす環境情報を取得することができる。
【００５１】
ステップ２０４において、環境情報が所定の条件を満たす場合、動画撮影を開始する。
【００５２】
動画撮影装置は環境情報が所定の条件を満たすと決定する場合、動画撮影を開始できる。動画撮影装置は動画撮影を開始した場合、取得した動画データを記憶する。例示的に、動画撮影装置は動画データをローカルメモリに記憶することができる。即ち、動画撮影装置の周囲の環境情報が所定の条件を満たす場合、動画撮影装置は自動的に動画撮影を開始できる。所定の条件は、ユーザーが予め設定したものであってもよいが、これによって、動画撮影装置は自動的にユーザーが取ろうとする場面を撮影できる。
【００５３】
説明すべき点は、本発明の実施例により提供される動画撮影方法は、ユーザーが取ろうとする動画を自動的に撮影することに用いることができる。例えば、人々が歓呼の声をあげる場面または誰かが即興に歌を歌う場面などの名場面、これらの場面は一定の突発性があり、ユーザーがこれらの場面にいながらこれらの場面を動画に撮影しようとする時、動画撮影装置を操作すると、最適のタイミングを見逃す可能性がある。しかし、本発明の実施例により提供される動画撮影方法を使用する場合、ユーザーは予め名場面において出現可能な、所定の条件（例えば、音量が音量閾値より大きい場合等）を設定でき、動画撮影装置はリアルタイムで周囲の環境情報が所定の条件を満たすか否かを監視でき、且つ環境情報が所定の条件を満たす場合、動画撮影を開始する。
【００５４】
説明すべき点は、動画撮影装置が取得した音声情報の音源は動画撮影装置の撮影範囲内にいない可能性があり（撮影範囲は動画撮影装置におけるウェブカメラの向きにより決められ、撮影範囲内にある物体が動画撮影装置の撮影画面に現れる）、この状況では、動画撮影装置は動画撮影を開始しなくてもよく、または、動画撮影装置は転向アセンブリを介してウェブカメラの向きを変えて、音源を撮影範囲内に位置させてから動画撮影を開始する。ここで、動画撮影装置はマイクロホンアレイを介して音源に対して位置決めを行うことができ、且つ位置決めの結果に基づいてウェブカメラを音源に転向するように制御する。位置決め方法は、従来技術を参照することができ、ここでは省略することにする。
【００５５】
説明すべき点は、本ステップの前に、動画撮影装置は、オフ状態にあって、周囲の環境情報のみを取得し、且つ環境情報が所定の条件を満たす場合、動画撮影装置を起動して、動画撮影を開始してもよい。
【００５６】
ステップ２０５において、所定の条件を満たす環境情報を取得してから所定の時間経過後、動画撮影を完了して、撮影した動画データを取得する。
【００５７】
動画撮影装置は、所定の条件を満たす環境情報を取得してから所定の時間経過後、動画撮影を完了して、撮影した動画データを取得することができる。ここで、所定の時間はユーザーにより予め設定されてもよい。例示的に、所定の時間は３０秒であり、ユーザーが歌を歌う時、その音量が音量閾値より大きい場合、動画撮影装置は動画撮影を始め、この時、動画撮影装置は持続的に音量が音量閾値より大きいという音声情報を取得し、ユーザーの歌が終わる時（または、歌が終わり、且つ観衆の喝采声が終わる時）、動画撮影装置が取得した音声情報の音量は音量閾値より小さくなる。即ち、環境情報が所定の条件を満たせなく、この後の３０秒後、動画撮影装置は動画撮影を完了して、撮影した動画データを取得できる。
【００５８】
また、動画撮影装置は、環境情報が所定の条件を満たさない場合、直ちに動画撮影を完了してもよいが、本発明の実施例はこれに限定されない。
【００５９】
ステップ２０６において、所定の共有入口を取得する。
【００６０】
動画撮影装置は動画データを得た後、所定の共有入口を取得することができる。当該共有入口は、ソーシャルプラットフォームソフトウェア、メール及び即時通信ソフトウエアの中のいずれか一つを含んでもよい。共有入口は動画データの共有ルートを指示するために用いられる。
【００６１】
ステップ２０７において、共有入口を介して動画データを共有入口に対応する動画共有プラットフォームに転送する。
【００６２】
動画撮影装置は所定の共有入口を得た後、動画データを共有入口に対応する動画共有プラットフォームに転送できる。例示的に、動画共有入口は動画データをアップロードするためのサーバーアドレスを含んでもよく、動画撮影装置は動画データを当該サーバーアドレスに対応するサーバーにアップロードすることができる。当該サーバーは共有入口に対応する動画共有プラットフォームのサーバーであってもよい。その後、他のユーザーは動画共有プラットフォームで当該動画データを見ることができる。
【００６３】
説明すべき点は、動画撮影装置は、ユーザーが確認した後に動画データを共有入口に対応する動画共有プラットフォームに転送してもよい。例示的に、動画撮影装置は、ユーザーの端末と無線または有線接続を構築することができ、動画撮影装置が動画データを取得した後、まず動画データをユーザーの端末に転送することができ、ユーザーがユーザーの端末で動画データを見て動画データについて編集を行い、その後、動画データを動画共有プラットフォームに転送するかしないかを選択できる。
【００６４】
追加説明すべき点は、本発明の実施例により提供される動画撮影方法によれば、音声情報の音量が音量閾値より大きい場合、動画撮影を開始することによって、動画撮影装置が、ユーザーが取ろうとする場面を自動的に撮影し始められる効果を奏することができる。
【００６５】
要するに、本発明の実施例により提供される動画撮影方法によれば、動画撮影装置の周囲の環境情報が所定の条件を満たすか否かを検出し、且つ環境情報が所定の条件を満たす場合、動画撮影を開始することによって、従来技術における動画撮影の過程が複雑である問題を解決するとともに、動画撮影の過程を簡単且つ便利にする効果を奏する。
【００６６】
図３−１は、一つの例示的な実施例により提供される動画撮影方法のフローチャートであり、当該動画撮影方法は動画撮影に用いられることができる。当該動画撮影方法は、以下の数個のステップを含んでもよい。
【００６７】
ステップ３０１において、動画撮影装置の周囲の環境情報を取得し、環境情報には画像情報が含まれる。
【００６８】
本発明の実施例により提供される動画撮影方法を応用する場合、動画撮影装置は監視の状態にあってもよく、監視の状態では、動画撮影機器は動画データを取得できるが、動画データを記憶しない。動画撮影装置は取得した動画データから環境情報としての画像情報を取り出すことができる。
【００６９】
ステップ３０２において、画像情報に頭部特徴が含まれているか否かを検出する。
【００７０】
動画撮影装置は画像情報を取得した後、画像検出技術を利用して画像情報に頭部特徴が含まれているか否かを検出することができる。ここで、頭部特徴は、面部の特徴、例えば鼻、目、口等の特徴を含むことに限らず、頭部の耳などの特徴を含んでもよい。
【００７１】
ステップ３０３において、画像情報に頭部特徴が含まれている場合、環境情報が所定の条件を満たすと決定する。
【００７２】
動画撮影装置は画像情報に頭部特徴が含まれていることを検出した場合、環境情報が所定の条件を満たすと決定できる。画像情報に頭部特徴が含まれていることは、動画撮影装置が撮影した画面に人が入っていることが表明できる。
【００７３】
また、図３−２に示したように、本ステップは以下の２つのサブステップをさらに含んでもよい。
【００７４】
サブステップ３０３１において、画像情報に頭部特徴が含まれている場合、頭部特徴が所定の頭部特徴であるか否かを検出する。
【００７５】
動画撮影装置は画像情報に頭部特徴が含まれていることを検出した場合、頭部特徴が所定の頭部特徴であるか否かを検出できる。ここで、所定の頭部特徴は、ユーザーが予め設定した、取ろうとする人物の頭部特徴であってもよい。即ち、頭部特徴が所定の頭部特徴であるか否かを検出することによって、画像情報における人がユーザーが取ろうとする人物であるか否かが決定できる。
【００７６】
サブステップ３０３２において、頭部特徴が所定の頭部特徴である場合、環境情報が所定の条件を満たすと決定する。
【００７７】
動画撮影装置は頭部特徴が所定の頭部特徴であることを検出した場合、環境情報が所定の条件を満たすと決定できる。即ち、動画撮影装置は、撮影した画面に取ろうとする人物の頭部特徴が現れた場合、環境情報が所定の条件を満たすと決定できる。
【００７８】
例示的に、動画撮影装置の撮影画面を目標人物（ユーザーが取ろうとする人物）の出現可能な位置（コンサート中の舞台の中央）に合わせ、その後、当該位置に目標人物が現れると、動画撮影装置が取得した画像情報について検出を行い、頭部特徴が検出できた場合、引き続き当該頭部特徴が所定の頭部特徴であるか否かを検出し、且つ当該頭部特徴が所定の頭部特徴であれば、環境情報が所定の条件を満たすと決定する。
【００７９】
説明すべき点は、本発明の実施例により提供される動画撮影方法によれば、ユーザーが取ろうとする動画を自動的に撮影することに用いることができる。例えば、あるユーザーが取ろうとする人物が動画撮影装置の撮影画面に現れた場面、これらの場面は一定の突発性があり（例えば、ユーザーが取ろうとする人物が数秒しか現れていない）、ユーザーがこれらの場面にいながらこれらの場面を動画に撮影しようとする時、動画撮影装置を操作すると、最適のタイミングを見逃す可能性がある。しかし、本発明の実施例により提供される動画撮影方法を使用する場合、ユーザーは予め名場面において出現可能な、所定の条件を設定でき（例えば、撮影画面に目標人物の頭部特徴が含まれる等）、動画撮影装置はリアルタイムで周囲の環境情報が所定の条件を満たすか否かを監視できる。
【００８０】
ステップ３０４において、環境情報が所定の条件を満たす場合、動画撮影を開始する。
【００８１】
動画撮影装置環境情報が所定の条件を満たすと決定すると、動画撮影を開始できる。動画撮影装置は動画撮影を開始する際、取得した動画データを記憶する。例示的に、動画撮影装置は動画データをローカルメモリに記憶することができる。即ち、動画撮影装置の周囲の環境情報が所定の条件を満たす場合、動画撮影装置は自動的に動画撮影を開始できる。所定の条件はユーザーが予め設定したものであってもよいが、これによって、動画撮影装置は自動的にユーザーが取ろうとする場面を撮影できる。
【００８２】
ステップ３０５において、所定の条件を満たす環境情報を取得してから所定の時間経過後、動画撮影を完了して、撮影した動画データを取得する。
【００８３】
動画撮影装置は、所定の条件を満たす環境情報を取得してから所定の時間経過後、動画撮影を完了してもよく、撮影された動画データを取得する。ここで、所定の時間はユーザーにより予め設定されてもよい。例示的に、所定の時間は３０秒であり、動画撮影装置は撮影画面には頭部特徴が現れたことを検出した場合、撮影画面には人が現れたことを表明し、動画撮影装置は動画撮影を開始することができる。この時、動画撮影装置は持続的に撮影画面における画像情報を取得し、且つ画像情報に頭部特徴が含まれているか否かを検出する。撮影画面に入っている人が離れた場合、動画撮影装置が取得した画像情報において頭部特徴を検出することができない。即ち、環境情報が所定の条件を満たせなく、この後の３０秒後、動画撮影装置は動画撮影を完了して、撮影した動画データを取得できる。
【００８４】
また、動画撮影装置は、環境情報が所定の条件后を満たさない場合、直ちに動画撮影を完了してもよいが、本発明の実施例はこれに限定されない。
【００８５】
ステップ３０６において、所定の共有入口を取得する。
【００８６】
動画撮影装置は動画データを得た後、所定の共有入口を取得することができる。当該共有入口は、ソーシャルプラットフォームソフトウェア、メール及び即時通信ソフトウエアの中のいずれか一つを含んでもよい。共有入口は動画データの共有ルートを指示することに用いられる。
【００８７】
ステップ３０７において、共有入口を介して動画データを共有入口に対応する動画共有プラットフォームに転送する。
【００８８】
動画撮影装置は所定の共有入口を得た後、動画データを共有入口に対応する動画共有プラットフォームに転送できる。
【００８９】
説明すべき点は、動画撮影装置は、ユーザーが確認した後に動画データを共有入口に対応する動画共有プラットフォームに転送してもよい。例示的に、動画撮影装置はユーザーの端末と無線または有線接続を構築し、動画撮影装置は動画データを取得した後、まず動画データをユーザーの端末に転送することができ、ユーザーがユーザーの端末で動画データを見て動画データについて編集を行い、その後、動画データを動画共有プラットフォームに転送するか否かを選択できるようにする。
【００９０】
追加説明すべき点は、本発明の実施例により提供される動画撮影方法よれば、画像情報に頭部特徴が含まれている場合、動画撮影を開始することによって、動画撮影装置はユーザーが取ろうとする場面を自動的に撮影し始められる効果を奏することができる。
【００９１】
要するに、本発明の実施例により提供される動画撮影方法によれば、動画撮影装置の周囲の環境情報が所定の条件を満たすか否かを検出し、且つ環境情報が所定の条件を満たす場合、動画撮影を開始することによって、従来技術における動画撮影の過程が複雑である問題を解決するとともに、動画撮影の過程を簡単且つ便利にする効果を奏する。
【００９２】
図４−１は、一つの例示的な実施例により提供される動画撮影方法のフローチャートであり、当該動画撮影方法は動画撮影に用いられることができる。当該動画撮影方法は、以下の数個のステップを含んでもよい。
【００９３】
ステップ４０１において、動画撮影装置の周囲の環境情報を取得し、環境情報には少なくとも一つの位置情報が含まれる。
【００９４】
本発明の実施例により提供される動画撮影方法を応用する場合、動画撮影装置は監視の状態にあってもよく、監視の状態では、動画撮影の機器は動画データを取得できるが、動画データを記憶しない。同時に、動画撮影装置はまた動画撮影装置の周囲の環境情報を取得できる。ここで、環境情報には少なくとも一つの位置情報が含まれてもよく、それぞれの位置情報には動画撮影装置の周囲のいずれかの物体（人、動物または他の移動可能な物体）の、所定の時間帯における動画撮影装置に対する位置情報が含まれてもよい。例示的に、所定の時間帯は１０秒であってもよいが、動画撮影装置は０秒から５秒ごとに一回ずつ目標物体（動画撮影装置の周囲のいずれかの物体）のリアルタイムの位置情報を取得でき、全部で３つのリアルタイムの位置情報を目標物体の位置情報として取得する。
【００９５】
説明すべき点は、動画撮影装置は赤外線センサ、レーザーセンサまたはレーダーによって周囲の物体の位置情報を取得できるが、本発明の実施例はこれに限定されない。
【００９６】
ステップ４０２において、少なくとも一つの位置情報中変化のある位置情報が存在するか否かを検出する。
【００９７】
動画撮影装置は少なくとも一つの位置情報を得た後、当該位置情報中変化のある位置情報が存在するか否かを検出できる。例示的に、位置情報にある物体の１０秒内の３つのリアルタイムの位置情報が含まれ、動画撮影装置は当該３つのリアルタイムの位置情報が一致するか否か、または差が大きすぎるか否かを検出でき、これらの３つのリアルタイムの位置情報が完全に一致しない、または差が大きすぎる場合、これらの３つのリアルタイムの位置情報に対応する位置情報が変化を発生する位置情報だと決定する。
【００９８】
ステップ４０３において、少なくとも一つの位置情報中変化のある位置情報が存在する場合、環境情報が所定の条件を満たすと決定する。
【００９９】
動画撮影装置は、少なくとも一つの位置情報中変化のある位置情報が存在する場合、環境情報が所定の条件を満たすと決定できる。ここで、変化を発生する位置情報が存在することは、動画撮影装置の周囲に移動する物体が存在することを表明し、この時、動画撮影装置は環境情報が所定の条件を満たすと決定できる。
【０１００】
環境情報に光強度がさらに含まれてもよい。環境情報に光強度がさらに含まれる場合、本ステップは以下の２つのサブステップをさらに含んでもよい。
【０１０１】
サブステップ４０３１において、少なくとも一つの位置情報中変化のある位置情報が存在する場合、光強度が所定の光強度範囲内にあるか否かを検出する。
【０１０２】
動画撮影装置は、少なくとも一つの位置情報中変化のある位置情報が存在することを検出した場合、光強度が所定の光強度範囲内にあるか否かを検出できる。ここで、光強度はまた発光強度とも称し、単位はカンデラ（ｃａｎｄｅｌａ）であり、ユーザーは予め所定の光強度範囲を設定でき、当該光強度範囲は動画撮影に適宜な範囲とすることができる。動画撮影装置は光強度センサによって周囲の環境の光強度を取得できる。
【０１０３】
サブステップ４０３２において、光強度が所定の光強度範囲内にある場合、環境情報が所定の条件を満たすと決定する。
【０１０４】
動画撮影装置は光強度が所定の範囲内にあると検出した場合、環境情報が所定の条件を満たすと決定する。光強度が強すぎるまたは弱すぎる場面は、画質が明確な動画を取りにくく、ひいては取った動画を視聴しにくいこともある。したがって、動画撮影をする時、撮影装置の周囲での光強度が所定の範囲内にあるか否かを検出することにより視聴できない動画を撮影することを避けることができ、ユーザー体験を向上させる。
【０１０５】
ステップ４０４において、環境情報が所定の条件を満たす場合、動画撮影を開始する。
【０１０６】
動画撮影装置は環境情報が所定の条件を満たすと決定する場合、動画撮影を開始できる。動画撮影装置は動画撮影を開始する際、取得した動画データを記憶する。例示的に、動画撮影装置は動画データをローカルメモリに記憶することができる。即ち、動画撮影装置の周囲の環境情報が所定の条件を満たす場合、動画撮影装置は自動的に動画撮影を開始できる。所定の条件はユーザーが予め設定したものであってもよいが、これによって、動画撮影装置は自動的にユーザーが取ろうとする場面を撮影できる。
【０１０７】
説明すべき点は、本発明の実施例により提供される動画撮影方法は、ユーザーが取ろうとする動画、例えば、人が踊っている場面及び武術公演をしている場面などの名場面を自動的に撮影することに用いることができる。本発明の実施例により提供される動画撮影方法を使用する時、ユーザーは予め名場面において出現可能な、所定の条件（例えば、移動している物体がある場合など）を設置でき、動画撮影装置はリアルタイムで周囲の環境情報が所定の条件を満たすか否かを監視でき、且つ環境情報が所定の条件を満たす場合、動画撮影を開始する。
【０１０８】
説明すべき点は、動画撮影装置が取得した変化された位置情報に対応する物体は動画撮影装置の撮影範囲内にいない可能性があり（撮影範囲は動画撮影装置におけるウェブカメラの向きにより決められ、撮影範囲内にある物体が動画撮影装置の撮影画面に現れる）、この状況では、動画撮影装置は動画撮影を開始しなくてもよく、または、動画撮影装置は転向アセンブリを介してウェブカメラの向きを変えて、移動している物体を撮影範囲内に位置させてから動画撮影を開始する。ここで、動画撮影装置は位置情報に基づいてウェブカメラを移動している物体に転向するように制御できる。
【０１０９】
説明すべき点は、本ステップの前に、動画撮影装置は、オフ状態にあって、周囲の環境情報のみを取得し、且つ環境情報が所定の条件を満たす場合、動画撮影装置を起動して、動画撮影を開始してもよい。
【０１１０】
ステップ４０５において、所定の条件を満たす環境情報を取得してから所定の時間経過後、動画撮影を完了して、撮影した動画データを取得する。
【０１１１】
動画撮影装置は、所定の条件を満たす環境情報を取得してから所定の時間経過後、動画撮影を完了して、撮影した動画データを取得することができる。ここで、所定の時間はユーザーにより予め設定されてもよい。例示的に、所定の時間は３０秒であり、ユーザーが踊る時、動画撮影装置に対する位置が変化し、動画撮影装置は動画撮影を始め、この時、動画撮影装置はユーザーが持続的に変化を発生する位置情報を検出し、ユーザーの踊りが終わった時、（またはユーザーが動画撮影装置の撮影範囲から離れた時）、動画撮影装置は変化を発生する位置情報を取得できない。即ち、環境情報が所定の条件を満たせなく、この後の３０秒後、動画撮影装置は動画撮影を完了し、撮影された動画データを取得できる。
【０１１２】
また、動画撮影装置は、環境情報が所定の条件后を満たさない場合、直ちに動画撮影を完了してもよいが、本発明の実施例はこれに限定されない。
【０１１３】
ステップ４０６において、所定の共有入口を取得する。
【０１１４】
動画撮影装置は動画データを得た後、所定の共有入口を取得することができる。当該共有入口は、ソーシャルプラットフォームソフトウェア、メール及び即時通信ソフトウエアの中のいずれか一つを含んでもよい。共有入口は動画データの共有ルートを指示することに用いられる。
【０１１５】
ステップ４０７において、共有入口を介して動画データを共有入口に対応する動画共有プラットフォームに転送する。
【０１１６】
動画撮影装置は所定の共有入口を得た後、動画データを共有入口に対応する動画共有プラットフォームに転送できる。
【０１１７】
説明すべき点は、動画撮影装置は、ユーザーが確認した後に動画データを共有入口に対応する動画共有プラットフォームに転送してもよい。例示的に、動画撮影装置はユーザーの端末と無線または有線接続を構築し、動画撮影装置は動画データを取得した後、まず動画データをユーザーの端末に転送することができ、ユーザーがユーザーの端末で動画データを見て動画データについて編集を行い、その後、動画データを動画共有プラットフォームに転送するか否かを選択できるようにする。
【０１１８】
追加説明すべき点は、本発明の実施例により提供される動画撮影方法によれば、動画撮影装置の周囲で物体が移動している場合、動画撮影を開始することによって、動画撮影装置はユーザーが取ろうとする場面を自動的に撮影し始められる効果を奏することができる。
【０１１９】
要するに、本発明の実施例により提供される動画撮影方法によれば、動画撮影装置の周囲の環境情報が所定の条件を満たすか否かを検出し、且つ環境情報が所定の条件を満たす場合、動画撮影を開始することによって、従来技術における動画撮影の過程が複雑である問題を解決するとともに、動画撮影の過程を簡単且つ便利にする効果を奏する。
【０１２０】
また、図２により示される実施例、図３により示される実施例及び図４により示される実施例は組み合わせて実施することができる。即ち、動画撮影装置は、図２により示される実施例で言及された音声音量と声紋データ、図３により示される実施例で言及された画像情報と頭部特徴、図４により示される実施例で言及された位置情報と光強度、という環境情報を総合的に考慮して、動画撮影を行うか否かを決めることができる。例示的に、動画撮影装置は上述の全部の環境情報を取得し、且つ所定の数の環境情報が所定の条件を満たす場合、動画撮影を開始することができる。
【０１２１】
以下は本発明の装置の実施例であり、それらを本発明の方法の実施例の実行に用いることができる。本発明の装置の実施例において披露しない細部的な内容は、本発明の方法の実施例を参照することにする。
【０１２２】
図５−１は、一つの例示的な実施例により示される動画撮影装置のブロック図であり、当該動画撮影装置は動画の撮影に用いることができる。当該動画撮影装置は、
動画撮影装置の周囲の環境の特徴を表すための環境情報を取得するように構成される取得モジュール５１０と、
環境情報が所定の条件を満たすか否かを検出するように構成される検出モジュール５２０と、
環境情報が所定の条件を満たす場合、動画撮影を開始するように構成される撮影モジュール５３０とを含んでもよい。
【０１２３】
要するに、本発明の実施例により提供される動画撮影装置によれば、動画撮影装置の周囲の環境情報が所定の条件を満たすか否かを検出し、且つ環境情報が所定の条件を満たす場合、動画撮影を開始することによって、従来技術における、ユーザーが動画撮影装置を操作して動画撮影を行い、動画撮影の過程が複雑である問題を解決するとともに、動画撮影においてユーザーの操作がなく、動画撮影の過程を簡単且つ便利にすることができる効果を奏する。
【０１２４】
環境情報には音声情報が含まれてもよい。
【０１２５】
図５−２に示したように、検出モジュール５２０は、
音声情報の音量が音量閾値より大きいか否かを検出するように構成される音量検出サブモジュール５２１と、
音声情報の音量が音量閾値より大きい場合、環境情報が所定の条件を満たすと決定するように構成される閾値決定サブモジュール５２２とを含む。
【０１２６】
閾値決定サブモジュール５２２は、音声情報の音量が音量閾値より大きい場合、音声情報に所定の声紋データが含まれているか否かを検出し、声紋データに所定の声紋データが含まれている場合、環境情報が所定の条件を満たすと決定するように構成されてもよい。
【０１２７】
環境情報には画像情報が含まれてもよい。
【０１２８】
図５−３に示したように、検出モジュール５２０は、
画像情報に頭部特徴が含まれているか否かを検出するように構成される画像検出サブモジュール５２３と、
画像情報に頭部特徴が含まれている場合、環境情報が所定の条件を満たすと決定するように構成される特徴決定サブモジュール５２４とを含む。
【０１２９】
特徴決定サブモジュール５２４は、画像情報に頭部特徴が含まれている場合、頭部特徴が所定の頭部特徴であるか否かを検出し、頭部特徴が所定の頭部特徴である場合、環境情報が所定の条件を満たすと決定するように構成されてもよい。
【０１３０】
環境情報には少なくとも一つの位置情報が含まれ、各々の位置情報には動画撮影装置の周囲のいずれかの物体の、所定の時間帯における動画撮影装置に対する位置情報が含まれてもよい。
【０１３１】
図５−４に示したように、検出モジュール５２０は、
少なくとも一つの位置情報中変化のある位置情報が存在するか否かを検出するように構成される位置検出サブモジュール５２５と、
少なくとも一つの位置情報中変化のある位置情報が存在する場合、環境情報が所定の条件を満たすと決定するように構成される変化決定サブモジュール５２６と含む。
【０１３２】
環境情報には、光強度がさらに含まれてもよい。
【０１３３】
変化決定サブモジュール５２６は、少なくとも一つの位置情報中変化のある位置情報が存在する場合、光強度が所定の光強度範囲内にあるか否かを検出し、光強度が所定の光強度範囲内にある場合、環境情報が所定の条件を満たすと決定するように構成される。
【０１３４】
図５−５に示されるように、当該装置は、
所定の条件を満たす環境情報を取得してから所定の時間経過後、動画撮影を完了して、撮影した動画データを取得するように構成される完了モジュール５４０をさらに含んでもよい。
【０１３５】
図５−６に示されるように、当該装置は、
所定の共有入口を取得するように構成される入口取得モジュール５５０と、
共有入口を介して動画データを共有入口に対応する動画共有プラットフォームに転送するように構成される転送モジュール５６０とをさらに含んでもよい。
【０１３６】
追加説明すべき点は、本発明の実施例により提供される動画撮影装置によれば、音声情報の音量が音量閾値より大きい場合、動画撮影を開始することによって、動画撮影装置がユーザーが取ろうとする場面を自動的に撮影し始められる効果を奏する。
【０１３７】
追加説明すべき点は、本発明の実施例により提供される動画撮影装置によれば、画像情報に頭部特徴が含まれている場合、動画撮影を開始することによって、動画撮影装置がユーザーが取ろうとする場面を自動的に撮影し始められる効果を奏する。
【０１３８】
追加説明すべき点は、本発明の実施例により提供される動画撮影装置によれば、動画撮影装置の周囲に移動している物体が存在する場合、動画撮影を開始することによって、動画撮影装置がユーザーが取ろうとする場面を自動的に撮影し始められる効果を奏する。
【０１３９】
要するに、本発明の実施例により提供される動画撮影装置によれば、動画撮影装置の周囲の環境情報が所定の条件を満たすか否かを検出し、且つ環境情報が所定の条件を満たす場合、動画撮影を開始することによって、従来技術における動画撮影の過程が複雑である問題を解決するとともに、動画撮影の過程を簡単且つ便利にする効果を奏する。
【０１４０】
上述の実施例に係る装置に関し、各々のモジュールの操作の具体的な実行形態については、関係する方法の実施例において詳細な説明を行っており、ここでは詳細な説明を省略することにする。
【０１４１】
図６は、一つの例示的な実施例により示される動画撮影用の装置６００のブロック図である。装置６００は、例えば、携帯電話、コンピュータ、デジタル放送端末、メッセージ送受信設備、ゲーム機、タブレットＰＣ設備、医療設備、運動設備、個人用デジタル補助装置等を含んでもよい。
【０１４２】
図６を参照すると、装置６００は、処理アセンブリ６０２、メモリ６０４、電源アセンブリ６０６、マルチメディアアセンブリ６０８、オーディオアセンブリ６１０、入力/出力（Ｉ／Ｏ）インターフェイス６１２、センサアセンブリ６１４、及び通信アセンブリ６１６の中の一つまたは複数のアセンブリを含んでもよい。
【０１４３】
処理アセンブリ６０２は、通常装置６００の全体の操作を制御し、例えば、表示、電話呼出し、データ通信、カメラ操作及び記録操作と関連する操作を制御する。処理アセンブリ６０２は、前記方法の全部または一部のステップを完成するため、一つまたは複数のプロセッサ６２０を含んでインストラクションを実行してもよい。なお、処理アセンブリ６０２は、処理アセンブリ６０２とその他のアセンブリとの間のインタラクションの便宜上、一つまたは複数のモジュールを含んでもよい。例えば、処理アセンブリ６０２は、マルチメディアアセンブリ６０８と処理アセンブリ６０２との間のインタラクションの便宜上、マルチメディアモジュールを含んでもよい。
【０１４４】
メモリ６０４は、様々な種類のデータを記憶して装置６００の操作を支えるように構成される。これらのデータには、例示的に、装置６００上において操作される如何なるアプリケーションまたは方法のインストラクション（ｉｎｓｔｒｕｃｔｉｏｎ）、連絡先データ、電話帳データ、メッセジー、イメージ、動画などが含まれる。メモリ６０４は、如何なる種類の発揮性または不発揮性の記憶装置、例えば、スタティックランダムアクセスメモリ（ＳＲＡＭ）、電気的消却・プログラム可能型読取専用メモリ（ＥＥＰＲＯＭ）、消却・プログラム可能型読取専用メモリ（ＥＰＲＯＭ）、プログラム可能型読取専用メモリ（ＰＲＯＭ）、読取専用メモリ（ＲＯＭ）、磁気メモリ、フラッシュメモリ、磁気ディスクまたは光ディスク、またはそれらの組み合わせにより実現されてもよい。
【０１４５】
電源アセンブリ６０６は、装置６００の様々種類のアセンブリに電力が提供されるためのものである。電源アセンブリ６０６は、電源管理システム、一つまたは複数の電源、及びその他の、装置６００のための電力の生成、管理及び分配と関連するアセンブリを含んでもよい。
【０１４６】
マルチメディアアセンブリ６０８は、前記装置６００とユーザーとの間の、一つの出力インターフェイスを提供するスクリーンを含む。一部の実施例おいて、スクリーンは液晶ディスプレイー（ＬＣＤ）とタッチパネル（ＴＰ）を含んでもよい。スクリーンが、タッチパネルを含む場合、スクリーンは、ユーザーからの入力信号を受信するよう、タッチスクリーンとして実現されてもよい。タッチパネルは、タッチ、スライド及びタッチパネル上の手振りを感知するよう、一つまたは複数のタッチセンサを含む。前記タッチセンサは、タッチまたはスライド動作の境界を感知するのみならず、前記タッチまたはスライド操作と関係する持続時間と圧力を検出するようにしてもよい。一部の実施例において、マルチメディアアセンブリ６０８は、一つのフロントカメラ及び/又はリアカメラを含む。装置６００が、操作モード例えば撮影モードまたは動画モードに処している場合、フロントカメラ及び/又はリアカメラは外部からのマルチメディアデータを受信することができる。それぞれのフロントカメラとリアカメラは、一つの固定された光学レンズシステムであってもよく、焦点距離と光学ズーミング機能を有しているものであってもよい。
【０１４７】
オーディオアセンブリ６１０は、オーディオ信号を出力及び/又は入力するように構成される。例えば、オーディオアセンブリ６１０は、一つのマイクロホン（ＭＩＣ）を含み、マイクロホンは、装置６００が操作モード例えば呼出しモード、記録モード及び音声認識モードに処している場合、外部からのオーディオ信号を受信するように構成される。受信されたオーディオ信号は、さらにメモリ６０４に記憶されるかまたは通信アセンブリ６１６を介して送信されてもよい。一部の実施例において、オーディオアセンブリ６１０は、さらにオーディオ信号を出力するための一つのスピカーを含んでもよい。
【０１４８】
Ｉ／Ｏインターフェイス６１２は、処理アセンブリ６０２と周辺のインターフェイスモジュールの間にインターフェイスを提供し、前記周辺のインターフェイスモジュールは、キーボード、アイポット、ボタン等であってもよい。これらのボタンには、ホームボタン、音声ボタン、スタートボタン及びロックボタンが含まれてもよいが、これに限られるものではない。
【０１４９】
センサアセンブリ６１４は、装置６００のため各方面の状態評価が提供されるための一つまたは複数のセンサを含んでもよい。例えば、センサアセンブリ６１４は、装置６００のオン/オフ状態、アセンブリの相対的位置決めを検出してもよく、例えば、前記アセンブリは、装置６００のディスプレイーとキーパッとである。センサアセンブリ６１４は、さらに装置６００または装置６００の一つのアセンブリの位置変更、ユーザーと装置６００との接触の有無、装置６００の方向または加速/減速及び装置６００の温度変化を検出してもよい。センサアセンブリ６１４は、近接センサを含んでもよく、該近接センサは、如何なる物理的な接触がないとき付近物体の存在を検出するように構成される。センサアセンブリ６１４は、さらに結像応用に用いられる光センサ、例えばＣＭＯＳまたはＣＣＤ画像センサを含んでもよい。一部の実施例において、該センサアセンブリ６１４は、されに加速度センサ、ジャイロセンサ、磁気センサ、圧力センサまたは温度センサを含んでもよい。
【０１５０】
通信アセンブリ６１６は、装置６００と其の他の設備との間の有線または無線方式によるの通信を便利にするように構成される。装置６００は、通信基準に基づく無線ネットワーク、例えばＷｉＦｉ、２Ｇあるいは３Ｇ、またはこれらの組み合わせによって接続されることができる。一の例示的な実施例において、通信アセンブリ６１６は、放送チャネルを介して外部放送管理システムからの放送信号または放送と関連する情報を受信する。一の例示的な実施例において、前記通信アセンブリ６１６は、さらに近距離無線通信（ＮＦＣ）モジュールを含むことによって、狭域通信を促進する。例えば、ＮＦＣモジュールは、無線自動識別（ＲＦＩＤ）技術、赤外線通信協会（ＩＲＤＡ）技術、超広帯（ＵＷＢ）技術、ブルートゥース（ＢＴ）技術及びその他の技術に基づいて実現されてもよい。
【０１５１】
例示的な実施例において、装置６００は、上述の方法を実行するため、一つまたは複数の特定用途向け集積回路（ＡＳＩＣ）、ディジタル信号プロセッサ（ＤＳＰ）、ディジタル信号処理設備（ＤＳＰＤ）、プログラム可能論理回路（ＰＬＤ）、フィールド・プログラマブル・ゲート・アレイ（ＦＰＧＡ）、コントローラー、マイクロ・コントローラー、マイクロプロセッサまたはその他の電子素子により実現されてもよい。
【０１５２】
例示的な実施例において、さらにインストラクションを含んだ非一時的コンピュータ読み出し可能記憶媒体、例えばインストラクションを含んだメモリ６０４を提供した。前記インストラクションは、装置６００のプロセッサ６２０によって実行され、上述の方法を完成することができる。例えば、前記非一時的コンピュータ読み出し可能記憶媒体は、ＲＯＭ、ランダム・アクセス・メモリ（ＲＡＭ）、ＣＤーＲＯＭ、磁气テ-プ、ソフトディスク及び光データ記憶装置等であってもよい。
【０１５３】
非一時的コンピュータ読み出し可能記憶媒体は、前記記憶媒体におけるインストラクションが装置６００のプロセッサによって実行される場合、装置６００が上述のそれぞれの実施例により提供される動画撮影方法を実行することができるようにする。
【０１５４】
当業者は、明細書を理解し、且つここで開示した発明を実施することにより、本発明の他の実施例を容易に想到することができる。本願は、本発明のあらゆる変更、用途又は適応性変化を含むことをその趣旨とする。これらの変更、用途または適応性変化は、本発明の一般の原理を遵守し、本願において開示されていない本技術分野の公知常識又は慣用技術手段を含む。明細書及び実施例は例示的なものに過ぎず、本発明の真の範囲及び主旨は以下の特許請求の範囲によって示される。
【０１５５】
本発明は、以上の記載および図面により示される正確な構造に限られることはなく、その範囲を逸脱しない限り様々な修正や変更が可能であることと、理解すべきである。本発明の範囲は、添付する特許請求の範囲のみにより限定される。
【図１】
0006405470.tif 000002
【図２−１】
0006405470.tif 000003
【図２−２】
0006405470.tif 000004
【図３−１】
0006405470.tif 000005
【図３−２】
0006405470.tif 000006
【図４−１】
0006405470.tif 000007
【図４−２】
0006405470.tif 000008
【図５−１】
0006405470.tif 000009
【図５−２】
0006405470.tif 000010
【図５−３】
0006405470.tif 000011
【図５−４】
0006405470.tif 000012
【図５−５】
0006405470.tif 000013
【図５−６】
0006405470.tif 000014
【図６】
0006405470.tif 000015